(57)【要約】【課題】載置面に電気ポットを載置することで、電気ポット側の一方の接続器が着脱自在に接続される他方の接続器を備えた給電台において、電源コードの収納をワンタッチで行えるようにする。【解決手段】電気湯沸かし器本体１を載置する給電台本体13に接続器14に接続される電源コード16のコードリール装置18が設けられる。このコードリール装置18は回動自在に設けられ電源コード16を収納可能なリール本体19と、このリール本体19を巻き取り方向に付勢するゼンマイ21と、リール本体19の回動を制動するストッパー22と、このストッパー22を操作する押しボタン25を備えている。押しボタン25を押すとワンタッチで電源コード16をリール本体19に収納することができる。【選択図】図２
2011092295.tif 000002
【特許請求の範囲】
【請求項１】
加熱手段を設けた電気湯沸かし器を載置する載置面を有すると共に、前記電気湯沸かし器に取り付けられると共に前記加熱手段に接続された一方の接続器に着脱可能に接続される他方の接続器を有する給電台において、給電台本体に前記他方の接続器に接続される電源コードの収納装置が設けられ、この収納装置は回動自在に設けられ前記電源コードを収納可能な装置本体と、この装置本体を所定方向に付勢する付勢手段と、前記装置本体の回動を制動する操作部を有する制動手段とを備えていることを特徴とする給電台。
【請求項２】
前記他方の接続器は前記載置面よりも高い位置で、かつこの載置面の中心軸線に対して偏移して設けられることを特徴とする請求項１記載の給電台。
【請求項３】
前記給電台本体に前記電気湯沸かし器の位置決め機構を設け、前記位置決め機構に回動機構を設けたことを特徴とする請求項1又は２記載の給電台。
【発明の詳細な説明】
【技術分野】
【０００１】
本発明は、電気湯沸かし器を着脱自在に載置する給電台に関するものである。
【背景技術】
【０００２】
一般にこの種のものは、加熱手段を設けた電気湯沸かし器と、この電気湯沸かし器を載置する給電台とを備え、電源コードから給電台に設けた接続器と電気湯沸かし器に設けた接続器を介して加熱手段に給電できるようになっている（例えば特許文献１）。
【０００３】
そして、電源コードは給電台に手で巻き付けられて収納できるようになっている。
【先行技術文献】
【特許文献】
【０００４】
【特許文献１】特開２００９−１２５３５６号公報
【発明の概要】
【発明が解決しようとする課題】
【０００５】
しかし、従来技術では、電源コードを給電台に手で収納しなければならない為、電源コードの処理に手間が掛かるものであった。
【０００６】
本発明は、上記事情を考慮してなされたもので、電源コードの巻き取り収納を手間が掛からず、簡単に出来る給電台を提供することを目的とする。
【課題を解決するための手段】
【０００７】
本発明の請求項１における給電台では、電源コードを収納する際に、所定方向に付勢された装置本体に電源コードを巻き取ることができる。
【０００８】
本発明の請求項２における給電台では、給電台の載置面の中心に接続器がなく、載置面に水が溢れても漏電の危険を防止できる。
【０００９】
本発明の請求項３における給電台では、電気湯沸かし器は回動機構によって案内されることとなる。
【発明の効果】
【００１０】
本発明の請求項１の給電台によれば、電源コードを手間が掛からず、簡単に巻き取って収納することができる。
【００１１】
本発明の請求項２の給電台によれば、電気湯沸かし器を給電台に載置する際に、載置面に水が溢れても漏電の危険を防止できることができる。
【００１２】
本発明の請求項３の給電台によれば、電気湯沸かし器を迅速に位置決めすることができる。
【図面の簡単な説明】
【００１３】
【図１】本発明の実施例１における電気湯沸かし器本体を載置した状態の全体断面図である。
【図２】同上、給電台の断面図である。
【図３】本発明の実施例２における電気湯沸かし器本体を載置した状態の全体断面図である。
【図４】同上、電気湯沸かし器本体の一部切り欠き正面図である。
【図５】同上、電気湯沸かし器本体の底面図である。
【図６】同上、給電台の平面図である。
【図７】同上、給電台の正面図である。
【発明を実施するための形態】
【００１４】
以下、添付図面を参照しつつ、本発明における電気湯沸かし器の給電台の好ましい実施例を説明する。
【実施例１】
【００１５】
図１、２は実施例１を示しており、電気湯沸かし器本体１は有底筒状の内容器（図示せず）の外側に外装ケース２を設け、上部開口に蓋体３が着脱自在に設けられ、この電気湯沸かし器本体１の側面４の上部には湯の注ぎ口５が設けられていると共に、注ぎ口５と反対側の側面４に取手６が設けられている。そして電気湯沸かし器本体１には内容器に収容した水を加熱するための加熱手段（図示せず）を備えていると共に、この加熱手段に電気的に接続している一方の接続器７が電気湯沸かし器本体１の底面８に凹状に設けられている。
【００１６】
前記電気湯沸かし器本体１が着脱自在に載置する給電台９は、上面に載置面10を設けると共に、下部には滑り止め用の脚ゴム11を設けた支持脚12を備えた給電台本体13において、載置面10の中央にある中心軸線Ｘ上に前記一方の接続器７に接続可能な他方の接続器14が設けられており、この他方の接続器14は凹状の一方の接続器７に嵌合するように上向きに突設している。そして、この他方の接続器14には、先端にプラグ15を接続した電源コード16が接続されている。
【００１７】
さらに、給電台本体13の内部の底板17上に電源コード16の収納装置である自動巻き取り型コードリール装置18を設ける。このコードリール装置18では、電源コード16を整列に収納する装置本体であるリール本体19は、中心軸線Ｘ上に電源コード16を巻き取るドラム部20を設けたものであり、中心軸線Ｘをほぼ中心に回動自在に設けており、リール本体19の中心側において、電源コード16の基端側を電気的に他方の接続器14に接続することで、給電台９の後部に形成した貫通状の出し入れ部（図示せず）を介して電源コード16を引き出して、プラグ15をコンセント（図示せず）に接続することで、プラグ15、電源コード16、他方の接続器14、一方の接続器７を介して加熱手段に給電できるようになっている。
【００１８】
そして、前記底板17側と下部フランジ部との間に、リール本体19を所定方向である巻き取り方向のトルクを付与する付勢手段を設ける。実施例では一端を底板17側に固定すると共に他端をリール本体19の下部側に接続したゼンマイ21を示している。さらに、給電台本体13にはリール本体19を任意の位置で停止させる制動手段たるストッパー22を設ける。このストッパー22はリール本体19に下向きに設けられ中心軸線Ｘを中心としたリング23の内周面に接触可能に設けられ、そしてストッパー22は第一のバネ24によって外側、実施例の場合は前側に付勢されている。したがって、常時は第一のバネ24の付勢力によってストッパー22はリング23の内周面に圧接してゼンマイ21の力に抗してリール本体19を停止状態に保つことができるようになっている。また、給電台本体13の前部にストッパー22を解除してリール本体19を回転させる操作部である押しボタン25を設ける。この押しボタン25はストッパー22に接続されるものであり、第二のバネ26によって外側に付勢されている。
【００１９】
次に前記構成についてその作用を説明する。湯沸しするときは、予め電源コード16を出し入れ部より引き出す。この引き出しにあっては電源コード16の引き出し力がゼンマイ21による巻き取り方向の力、さらにはストッパー22による制動力に抗して、電源コード16の引き出しがなされる。そして電源コード16の所定の引き出し長さで、電源コード16より手を離すと、第一のバネ24の付勢力によってストッパー22はリング23の内周面に圧接しゼンマイ21の力に抗してリール本体19を停止状態に保つようになり、この結果、電源コード16は引き出された位置で固定される。
【００２０】
そして、水を収容した電気湯沸かし器本体１を給電台本体13の載置面10に載置することで、一方の接続器７が他方の接続器14に嵌合して両者間が接続することで、プラグ15から電源コード16を介して加熱手段に給電され、湯を沸かすことができる。
【００２１】
一方、電気湯沸かし器本体１の使用後は、引き出された電源コード16を収納する為に、押しボタン25を押すことでストッパー22を押してリング23への制動を解除し、リール本体19を回動可能な状態にする。これによりリール本体19は、ゼンマイ21のトルクによって電源コード16をリール本体19に巻き取って収納する方向に回転して電源コード16はリール帆に体に収納される。
【００２２】
以上のように、前記実施例では加熱手段により湯沸しする電気湯沸かし器本体１を載置し、この電気湯沸かし器本体１に設けられた一方の接続器７に接続可能な他方の接続器14を設けた給電台９において、給電台本体13に他方の接続器14に接続される電源コード16のコードリール装置18が設けられ、このコードリール装置18は回動自在に設けられ電源コード16を収納可能なリール本体19と、このリール本体19を巻き取り方向に付勢するゼンマイ21と、リール本体19の回動を制動するストッパー22と、このストッパー22を操作する押しボタン25を備えていることで、電源コード16を任意の長さに引き出し停止できると共に、押しボタン25を押すことでワンタッチで電源コード16をリール本体19に収納することができ、電気湯沸かし器本体１を使用するとき、或いは電気湯沸かし器本体１の使用後において、電源コード16の扱いを簡単に行うことができる。
【実施例２】
【００２３】
図３〜図７は実施例２を示しており、前記実施例１と同一部分には同一符号を付し、その詳細な説明を省略する。
【００２４】
実施例２においては、底面８が平坦な電気湯沸かし器本体31の取手６側の側面４と底面８との角部32において、電気湯沸かし器本体31側に設けられている一方の接続器33に接続可能な他方の接続器34側が係合する係合部35が凹部状に形成されている。この凹部状の係合部35の上部には一方の接続器33が設けられると共に、この一方の接続器33の電気接点33Ａは凹状の係合部35の側面４側にある天面において下向きに設けられている。また、凹状の係合部35の下部35Ａは電気湯沸かし器本体31の中心側にやや突設しており、この係合部35の下部35Ａは、側面４側が幅大で、中心側が幅狭となるように電気湯沸かし器本体31の中心側に向けて、平面略Ｖ字形状の先細に形成されている。
【００２５】
一方、電気湯沸かし器本体31が載置面10に載置できる給電台36には、実施例１と同様に回動自在に設けられ電源コード16を収納可能なリール本体19と、このリール本体19を巻き取り方向に付勢する付勢手段たるゼンマイ21と、リール本体19の回動を制動するストッパー（図示せず）と、このストッパーを操作する押しボタン（図示せず）を備えている。そして、給電台36においては、給電台本体13の載置面10の中心軸線Ｘよりも前側に偏る偏移して一方の接続器33に接続可能な他方の接続器34を設けている。この他方の接続器34は給電台本体13の前側縁の内側に、給電台36の外側に飛び出さないように上向きに立設するように設けられるものであって、その電気接点34Ａは他方の接続器34の上面に一方の接続器33の電気接点33Ａに対向して接続できるようになっている。このため、他方の接続器34は、載置面10、ひいては載置状態にある電気湯沸かし器本体31の底面８よりも高い位置に設けられている。尚、電気湯沸かし器本体31側にある一方の接続器33の電気接点33Ａは棒状であり、他方の接続器34の電気接点34Ａは板バネに固定して、電気接点33Ａ，34Ａとの接触性を向上しており、この電気接点34Ａには防水パッキン（図示せず）などを介在して設けるようにしてもよい。
【００２６】
また、他方の接続器34の下部側の載置面10に、中心軸線Ｘに向けて前記係合部35と同様に前縁側が幅大で、中心側が幅狭となるように載置面10の中心側に向けて、平面略Ｖ字形状の先細な係合受け部37が形成されている。この係合受け部37は電気湯沸かし器本体31の位置決めが容易になるように係合部35の呼び込み用であって、リブ39によって形成されている。尚、係合部35の下部35Ａの深さと、係合受け部37の載置面からの高さはほぼ同じに形成されている。
【００２７】
給電台本体13の後側に電気湯沸かし器本体31の位置決め機構38を設ける。この位置決め機構38は、電気湯沸かし器本体31が載置面10にセットされた時に、中心軸線Ｘから外れた位置にセットされても、載置面10の中心軸線Ｘ上に移動させるためのものであり、この位置決め機構38は、給電台36の後側において、後縁側を載置面10の中心軸線Ｘ側の平坦面に対して凸状にリブ39を高く設けると共に、この後縁側凸部であるリブ39より中心軸線Ｘ側に向かってなだらかな傾斜面40を形成しているものであり、平面視でこの傾斜面40の挟角Ａは、１８０度以下で、実施例の場合はほぼ１２０度に形成されており、さらにリブ39の高さは電気湯沸かし器本体31の角部32とほぼ同じ高さであって、傾斜面40の曲率半径も角部32の曲率半径とほぼ同じに形成されている。したがって、電気湯沸かし器本体31の角部32が傾斜面40に載置されたとき、角部32は傾斜面40に沿って滑り落ちて最終的に傾斜面40と係合するようになっている。
【００２８】
さらに、傾斜面40と電気湯沸かし器本体31との滑り性を向上するために、回転機構である円筒状或いは球状のローラー41を設ける。このローラー41は、実施例では傾斜面40の中央とその左右両側の合計３箇所に設けられたものであり、ローラー41の回転中心軸線Ｙを中心軸線Ｘに対向するように設けると共に、ローラー41の周面を傾斜面40にあらわしてローラー41の周面によっても電気湯沸かし器本体31を滑り落としできるようになっている。
【００２９】
尚、実施例１、実施例２において電源コード16を給電台本体13の後部に設け、押しボタン25や他方の接続器34を前部に設けたが、それ以外の配置にしてもよい。
【００３０】
次に、前記構成についてその作用を説明する。湯沸しするときは、電源コード16の所定の引き出し長さで、電源コード16より手を離すと、実施例１と同様に、リール本体19は停止状態に保つようになり、この結果、電源コード16は引き出された位置で固定される。
【００３１】
そして、水を収容した電気湯沸かし器本体31を湯沸しのため、或いは電気湯沸かし器本体31の一時保管の為に、載置面10に載せるとき、位置が中心軸線Ｘ上よりずれて電気湯沸かし器本体31の底面８が傾斜面40に接触すると、底面８は傾斜面40に沿って滑り落ちて中心軸線Ｘ上に自動的に案内される。この際、ローラー41の周面に底面８が当たるとローラー41が回動することで、底面８を迅速に滑り落ちさせることができる。
【００３２】
このようにして、電気湯沸かし器本体31の中心が載置面10において中心軸線Ｘ上になると、Ｖ字状をなした係合部35が係合受け部37に入り込んで係合して載置面10に対する電気湯沸かし器本体31の位置決めが完了すると同時に、一方の接続器33の電気接点33Ａと他方の接続器34の電気接点34Ａとが、接して接続することで、プラグ15から電源コード16を介して加熱手段に給電され、湯を沸かすことができる。
【００３３】
この際、他方の接続器34を載置面10より立設したように設けたことで、電気湯沸かし器本体31より載置面10上に水がこぼれても、一方の接続器33の電気接点33Ａと他方の接続器34の電気接点34Ａは、載置面10より上方に配置されているので、電気接点33Ａ，34Ａ間に水が浸入することはない。
【００３４】
一方、電気湯沸かし器本体31の使用後は、引き出された電源コード16を収納する為に、実施例１と同様に押しボタン操作でリール本体19を回動可能な状態にする。これによりリール本体19は、ゼンマイ21のトルクによって電源コード16をリール本体19に巻き取って収納する方向に回転して電源コード16はリール本体19に収納される。
【００３５】
以上のように、前記実施例では給電台本体13に電源コード16のコードリール装置18が設けられたことで、電源コード16を任意の長さに引き出し停止できると共に、押しボタンを押しワンタッチで電源コード16をリール本体19に収納することができ、電気湯沸かし器本体31を使用するとき、或いは電気湯沸かし器本体31の使用後において、電源コード16の扱いを簡単に行うことができる。
【００３６】
また、実施例１のような場合には、電気湯沸かし器本体31の底面８の中心に一方の接続器７を凹状に設けると共に、載置面10の中央軸線上に他方の接続器14を凸状に設けていたので、電気湯沸かし器本体１を載置面10に載置する際、一方の接続器７を他方の接続器14に嵌合するように手探りで電気湯沸かし器本体１の位置合わせを行う必要があったが、実施例２においては、一方の接続器33、他方の接続器34を中心軸線Ｘより外側に偏移させてことで載置面10の中心軸線Ｘ周りには突起物は無く平坦であり、このため、電気湯沸かし器本体31を給電台36にセットするのに、電気湯沸かし器本体31を手探りで位置決めするようなことはなくなる。したがって、電気湯沸かし器本体31の載置面10へのセットが簡単な電気湯沸かし器を提供できる。また電気湯沸かし器本体31の取手６下方の側面４、底面８側に、他方の接続器34に係合するように係合部35を設けると共に、この係合部35の下部35Ａに係合可能な係合受け部37を給電台本体13の載置面10の前部に設け、さらに載置面10の後部に位置決め機構38を設けたことで、電気湯沸かし器本体31が載置面10の中心軸線Ｘよりもずれた位置であっても、簡単に位置決めを行うことができる。
【００３７】
しかも、位置決め機構38にはローラー41を設けたことで、電気湯沸かし器本体31の底面８がローラー41に滑走することで、迅速に位置決めを行うことが出来る。
【００３８】
また、電気湯沸かし器本体31を載置面10にセットした状態で、一方の接続器33の電気接点33Ａ、他方の接続器34の電気接点34Ａは、載置面10よりも高い位置に設けられているので、載置面10に水がこぼれていても、このこぼれている水によって電気接点33Ａ，34Ａ間に漏電のおそれはない。
【産業上の利用可能性】
【００３９】
以上のように本発明に係る給電台は、各種の電気湯沸かし器に適用できる。
【符号の説明】
【００４０】
１  31  電気湯沸かし器本体
10  載置面
７  33  一方の接続器
９  36  給電台
13  給電台本体
14  34  他方の接続器
16  電源コード
18  コードリール装置（収納装置）
19  リール本体（装置本体）
21  ゼンマイ（付勢手段）
22  ストッパー（制動手段）
25  押しボタン（操作部）
38  位置決め機構
41  ローラー（回転機構）
Ｘ  中心軸線
【図１】
2011092295.tif 000003
【図２】
2011092295.tif 000004
【図３】
2011092295.tif 000005
【図４】
2011092295.tif 000006
【図５】
2011092295.tif 000007
【図６】
2011092295.tif 000008
【図７】
2011092295.tif 000009